(57)【要約】【課題】  ばら状にして遺骨を納める墓石について、いままでの納骨では遺骨の上に遺骨を積み重ねる納骨になっていた。  最近の墓石では、女性でも納骨できるよう簡単便利な構造になっていた。このため、のぞき見、いたずらなどの問題なども起きていた。【解決手段】  下台を一つ物の石材で製作し、下台前側に開口部を下側に納骨室を作る。拝石下側にそれらに続く空間部を作る。納骨室の土の底部にいろいろな形状の仕切りを一つ、あるいは複数選び、組み合わせ、出来上がった仕切りに一体、あるいは複数、遺族の希望するかたちで遺骨を収める。このようにして遺骨を土に接するよう納骨できる。  のぞき見、いたずら防止を目的として、多数の扉としての機能を持たせた石材で納骨室の入り口を塞いだ。【選択図】図１
2005248688.tif 000002
【特許請求の範囲】
【請求項１】
墓石本体の下側に納骨室を作り、その底面に仕切りを設けた墓石。
【請求項２】
下台を一つ物の石材で製作した請求１の墓石。
【請求項３】
下台の前側に開口部、下側に納骨室を作り、拝石下側にも下台の開口部、納骨室につながる空間部を設けた請求１請求２の墓石。
【請求項４】
仕切りの形状は板状、円、四角、三角、コの字形の筒状にした請求１の墓石。
【請求項５】
供物台の天板石、扉石、拝石など複数の石材により下台の開口部、拝石の空間部を閉じた請求１請求２の墓石。
【発明の詳細な説明】
【技術分野】
【０００１】  この発明は納骨室にバラ状で収める遺骨に関するものであり、納骨室の仕切りを複数考案したものである。
【背景技術】
【０００２】  墓石に納骨する方法として火葬にされた遺骨を墓石下側の納骨室に骨壷に納めて収納する仕方と、亡くなった人は大地へ帰すもの、土葬の名残で地息をかよわせる意味から骨壷、骨箱から取り出し、バラ状にして土の上に収める方法があった。この変形として、さらしの袋に遺骨を入れ納骨室に収める。月日がたつうちに袋が腐り遺骨が風化し土に同化するというものであった。バラ状にして遺骨を納める方法は中台の開口部から下台を通って下の納骨室へ、あるいは拝石を取り外して下側の納骨室へ落とし込むあるいは収めるものであった。このため最初の遺骨は土の上にのるものの次の遺骨は遺骨の上にのるようになってしまった。
【発明の開示】
【発明が解決しようとする課題】
【０００３】  遺骨をバラ状にして墓石に納める納骨について、現在の方法では納骨室の遺骨の上に遺骨を納めるかたちになり、遺骨が小山のように積みあがっている光景は供養のしかたとして、また故人の永眠の仕方としてふさわしくないと思われる。亡くなった人は大地へ帰すもの、地息を通わせる意味あいからもかけ離れたものであった。
最近では女性でも簡単容易に納骨できるよう製作された墓石が多数建立されたため、だれでもが納骨入り口を開けることができ、のぞき見、いたずらなどの問題なども起きている。整理すると次のような問題点があった。
（イ）遺骨を骨壷から取り出してバラ状にして納める納骨について、現在の方法では遺骨の上に遺骨を積み重ねるかたちになっている。
（ロ）亡くなった人は大地に帰すもの、地息を通わせる意味合いからもかけ離れた納骨方法になっている。
（ハ）納骨を簡便にできるよう製作した墓石が建立されているが、簡単に入り口の開閉ができるため、のぞき見、いたずらなどの問題もおきている。
【課題を解決するための手段】
【０００４】  下台を一つ物の石材で製作する。その前側に開口部をえぐりとる。下台の下側に土に接する底面の大きな納骨室を作る。ふた石となる拝石の下側に人が下り、納骨室に遺骨を納められる空間をつくる。納骨室の底面に遺骨が納められるように板状の仕切りを作る。あるいは遺骨ができるたびに円、四角、三角、コの字形の筒状の仕切りを一個、あるいは複数組み合わせて立てに並べ、中に遺骨を納める。仕切りは石材、ガラス、金属、プラスチックなど風化しない材質を使用する。
いたずらなどに対しては供物台の天板石、引き出し、扉石、拝石などをはずし、そのうえ人が拝石の下に下りなければならないため、おきずらくなった。
【発明の効果】
【０００５】  下台の下側に遺骨が土に接する面積が大きくとれるよう底面の大きな納骨室を作ることを目的として、下台を一つ物の石材で製作した。その結果，今までの下台は四個の石材で構成されていたが、これらの欠点を解消できた。
（イ）下台が一つ物の石材なので水平が簡単にとれ、石材の組み合わせなどの作業がないため短時間で据付できる。
（ロ）接合目地の部分がなくなり、将来において目地とれ、石材の開きなど補修の問題などなくなった。
（ハ）現在主流である接着による耐震構造の墓石において、中台との接着面を大きくとれ、接着することにより、重心が低くなり地震につよくなった。
（二）下台前側の開口部、下側の納骨室、拝石下側の空間部が続きになり、納骨が楽にできるようになった。
（ホ）下台を一つ物の石材で製作し、前側の開口部を大きくえぐりとることにより、四個の石材で構成した下台よりも重量を軽減できた。
納骨室に仕切りを設け、遺骨が土に接することができる墓石を考案した為、下記のような収め方もできる。
（一）円形の筒状の仕切りを立てにし、中に子供の遺骨を納める。それを中心とし、四角い仕切りの中、周りに母親の遺骨を納める。この円形の仕切りを取り去って遺骨と遺骨を接するようにもできる。
（二）愛し合った二人の遺骨を混ぜ合わせて、一つの仕切りの中におさめることもできる。
（三）墓石に故人が一緒にはいりたくないと言っていた時など、経済的理由により、仕切りのはじはじに収める。
仕切りに故人の名前人柄、遺族の故人に対する思いなど書き込む、あるいは彫りこむことなどができる。
墓石の改葬分骨などの時、今までの中台の開口部から納める墓石では墓石を解体しなければ遺骨を取り出せず、拝石から収める構造の墓石では遺骨が重なっており、だれの遺骨かわからなかった。この考案の墓石では開口部を大きくとり、人が下りられる構造としたため簡単に取り出せ、仕切りに彫りこんだ個人名などにより遺骨の確認などもできる。
納骨室の仕切りの上に、ふた石などをのせ、その上に骨壷なども収納できる。
のぞき見，いたずら等に対しては、供物台の天板石、引き出し、扉石、拝石などを取り除き、人が拝石下側に下りなければならず、納骨室にたどりつくのに多数の工程を経なければならないため、これらの問題も軽減された。
なをこの発明は納骨室の底部の土の上に、遺骨が納められるよう仕切りを設けることを主とするため、洋型の墓石、外柵に開口部を設けて納骨する墓石、大きな地下室を作った墓石にも応用できる。
【発明を実施するための最良の形態】
【０００６】  以下、本発明の実施の形態を説明する。
（イ）一つ物の石材で下台（１）を製作し、前側に開口部をえぐりとる。
（ロ）下台（１）の下側に納骨室（２）を作り、その底面に仕切り（３）をもうける。
（ハ）拝石（８）の下側に人が下り、遺骨を納骨室（２）に納められる空間部（４）をつくる。
本案は以上のような構造で、遺骨を納める時は供物台の天板石（５）をはずし、引き出し（６）をはずし、扉石（７）をはずし、拝石（８）をはずした空間部（４）に人が下り、納骨室（２）のふた石（９）をはずし、骨箱、骨壷から遺骨を取り出し、仕切り（３）の中に収める。そののち逆の工程で納骨をおえる。
【図面の簡単な説明】
【０００７】
【図１】本発明の分解斜視図
【図２】本発明の正面図
【図３】本発明の平面図
【図４】本発明のＡ−Ａ′側面断面図
【符号の説明】
【０００８】    １  下台
２  納骨室
３  仕切り
４  空間部
５  供物台天板石
６  引き出し
７  扉石
８  拝石
９  ふた石
【図１】
2005248688.tif 000003
【図２】
2005248688.tif 000004
【図３】
2005248688.tif 000005
【図４】
2005248688.tif 000006